(57)【要約】【課題】内股部でのスナップボタンのかけ違いを防いで、内股部における左右前身ごろと後身ごろとの位置ずれを防止する。【解決手段】各左右前身ごろ１１、１２が、その胸元から内股部にかけて複数の胴部スナップボタン１５により開閉可能に留められるとともに、左右前身ごろ１１、１２と、後身ごろ１３とが、複数の内股部スナップボタン１６により開閉可能に留められる。胴部スナップボタン１５に最も近い内股部スナップボタン２０の雌雄スナップ部材２０ａ、２０ｂは、同一色で、かつ、他の雌雄スナップ部材およびリベット部材１９の色と異なるように形成される。これにより、この雌雄スナップ部材２０ａ、２０ｂを容易に嵌め合わせることができ、内股部において嵌め合わせるべき内股部スナップボタン１６のかけ違いを防ぐことができる。【選択図】図１
0003123818.tif 000002
【実用新案登録請求の範囲】
【請求項１】
胴部から脚部にかけて覆う左右一対の前身ごろ（１１）、（１２）と、前記左右前身ごろ（１１）、（１２）に対応した形状の後身ごろ（１３）とからなり、前記各左右前身ごろ（１１）、（１２）相互が、その胸元から内股部にかけて複数の胴部スナップボタン（１５）により開閉可能に留められるとともに、前記左右前身ごろ（１１）、（１２）と、前記後身ごろ（１３）とが、その内股部で複数の内股部スナップボタン（１６）により開閉可能に留められるベビー用つなぎにおいて、
上記胴部スナップボタン（１５）に最も近い上記内股部スナップボタン（２０）が、他のスナップボタンの色と異なるように形成されたことを特徴とするベビー用つなぎ。
【請求項２】
上記内股部スナップボタン（１６）および上記胴部スナップボタン（１５）は、雌スナップ部材（１５ａ）、（１６ａ）と、雄スナップ部材（１５ｂ）、（１６ｂ）と、これらを上記左右前身ごろ（１１）、（１２）および後身ごろ（１３）に固定する固定手段とからなり、上記胴部スナップボタン（１５）に最も近い上記内股部スナップボタン（２０）は、その雌雄スナップ部材（２０ａ）、（２０ｂ）が、同一色で、かつ、他の雌雄スナップ部材および前記固定手段の色と異なるように形成されたことを特徴とする請求項１に記載のベビー用つなぎ。
【請求項３】
上記固定手段は、リベット部材（１９）であり、上記雌スナップ部材（１５ａ）、（１６ａ）および上記雄スナップ部材（１５ｂ）、（１６ｂ）に、これらのそれぞれに対応する前記リベット部材（１９）が、上記左右前身ごろ（１１）、（１２）および後身ごろ（１３）を挟んだ状態で嵌め合わされることを特徴とする請求項２に記載のベビー用つなぎ。
【考案の詳細な説明】
【技術分野】
【０００１】
この考案は、乳幼児に着せるベビー用つなぎに関するものである。
【背景技術】
【０００２】
従来から、乳幼児の胴部から脚部にかけて覆う左右一対の前身ごろが、胸元から内股部にかけてスナップボタンで開閉可能に留められるとともに、前記左右前身ごろと後身ごろとがその内股部のスナップボタンにより開閉可能に留められる。これらのスナップボタンを嵌め合わせること、または外すことにより、胸元から内股部にかけて開閉することのできるベビー用つなぎが知られている（特開２００２−３０２８０５号公報  図１参照）。
【０００３】
上記ベビー用つなぎ３０は、図５に示すように、乳幼児の胴部から脚部にわたって覆う左右一対の前身ごろ３１、３２と、この左右一対の前身ごろに対応した形状の後身ごろ３３と、袖部３４、３４とからなる。前記左右前身ごろ３１、３２と後身ごろ３３が重ね合わされ、その外周部が縫い着けられるとともに、両肩部分に袖部３４がそれぞれ縫い着けられる。
【０００４】
上記各左右前身ごろ３１、３２の胸元から内股部にかけて、複数の胴部スナップボタン３５が取り付けられ、このスナップボタン３５により各左右前身ごろ３１、３２が開閉可能に留められる。また、その左右前身ごろ３１、３２の内股部および後身ごろ３３の内股部には、複数の内股部スナップボタン３６が取り付けられ、この内股部スナップボタン３６により左右前身ごろ３１、３２と、後身ごろ３３とが開閉可能に留められる。
【０００５】
上記ベビー用つなぎ３０は、その胴部スナップボタン３５を外せば、胸元から内股部にかけて左右前身ごろ３１、３２がそれぞれ左右に開き、さらに、内股部スナップボタン３６を外せば、内股部の両足首にわたって前身ごろと後身ごろとを開くことができる。この開いた状態のベビー用つなぎ服に乳幼児を仰向けに寝かせ、袖を通して上記の胴部、内股部スナップボタン３５、３６を嵌め合わせれば、その乳幼児を寝かせた状態でベビー用つなぎ３０を簡単に着せることができる。また、このベビー用つなぎ３０を脱がせるには、嵌め合わされた胴部、内股部スナップボタン３５、３６を外せばよい。
【考案の開示】
【考案が解決しようとする課題】
【０００６】
ところで、乳幼児のおしめを替えるため、または夜や寒い日などでの着替えは、できるだけ素早く行うことが望ましいが、乳幼児は、着替えの最中でもじっとしてくれず、絶えず手足を動かしていることが多い。そのため、従来のベビー用つなぎに着替えさせる際に、スナップボタンのかけ違いを起こしやすい。
【０００７】
特に、ベビー用つなぎの内股部では、胴部スナップボタン３５を嵌め合わせて、左右前身ごろ３１、３２を留めた状態で、上下に動かしている乳幼児の脚を包むように左右前身ごろ３１、３２の内股部に後身ごろ３３の内股部を沿わせながら、内股部スナップボタン３６を嵌め合わせなければならない。このため、内股部では、図６に示すように、嵌め合わせるべき内股部スナップボタン３６を間違え易く、内股部スナップボタン３６をかけ違えて、内股部において左右前身ごろと後身ごろとの位置ずれが発生するおそれがあった。
【０００８】
そこで、内股部でのスナップボタンのかけ違いを防いで、内股部における左右前身ごろと後身ごろとの位置ずれを防止することを課題とする。
【課題を解決するための手段】
【０００９】
上記の課題を解決するために、この考案は、内股部スナップボタンのうち、左右前身ごろを相互に留める胴部スナップボタンに最も近い内股部スナップボタンが分かるようにしたのである。
【００１０】
このようにすれば、左右前身ごろを相互に留める胴部スナップボタンに最も近い内股部スナップボタンを容易に嵌め合わせ、この内股部スナップボタンを基準して他の内股部スナップボタンを下端に向かって順次嵌め合わせることができるので、内股部スナップボタンのかけ違いを防ぐことができる。
【考案の効果】
【００１１】
以上のように、この考案のベビー服は、左右前身ごろと後身ごろの内股部スナップボタンのかけ違いを防ぐことで、内股部での左右前身ごろと後身ごろとの位置ずれを防止することができる。
【考案を実施するための最良の形態】
【００１２】
この考案の実施形態のベビー用つなぎとして、胴部から脚部にかけて覆う左右一対の前身ごろと、前記左右前身ごろに対応した形状の後身ごろとからなり、前記各左右前身ごろ相互が、その胸元から内股部にかけて複数の胴部スナップボタンにより開閉可能に留められるとともに、前記左右前身ごろと、前記後身ごろとが、その内股部で複数の内股部スナップボタンにより開閉可能に留められるベビー用つなぎにおいて、前記胴部スナップボタンに最も近い前記内股部スナップボタンが、他のスナップボタンの色と異なるように形成された構成を採用することができる。
【００１３】
この構成において、上記内股部スナップボタンおよび上記胴部スナップボタンは、雌スナップ部材と、雄スナップ部材と、これらを上記左右前身ごろおよび後身ごろに固定する固定手段とからなり、上記胴部スナップボタンに最も近い上記内股部スナップボタンは、その雌雄スナップ部材が、同一色で、かつ、他の雌雄スナップ部材および前記固定手段の色と異なるように形成された構成を採用することができる。
【００１４】
この構成によれば、胴部スナップボタンに最も近い内股部スナップボタンの雌雄スナップ部材が、同一の色に形成されているので、この同一の色の雌雄スナップ部材を嵌め合わせることで、内股部において嵌め合わせるべき内股部スナップボタンのかけ違いを防ぐことができる。
【００１５】
また、上記固定手段は、リベット部材であり、上記雌スナップ部材および上記雄スナップ部材に、これらのそれぞれに対応する前記リベット部材が、上記左右前身ごろおよび後身ごろを挟んだ状態で嵌め合わされる構成を採用することができる。上記雌スナップ部材および上記雄スナップ部材は、これらのそれぞれに対応するリベット部材が嵌め合わされることで、左右前身ごろおよび後身ごろに固定されるとともに、ベビー用つなぎの左右前身ごろの前面に前記リベット部材が固定されるので、ベビー用つなぎのデザインを損なわない。
【実施例】
【００１６】
以下、この考案の実施例を添付図面図１〜図４に基づいて説明する。
この実施例のベビー用つなぎ１０は、図１に示すように、乳幼児の胴部から脚部にかけて覆う左右一対の前身ごろ１１、１２と、この左右前身ごろ１１、１２に対応した形状の後身ごろ１３と、袖部１４とからなり、前記左右前身ごろ１１、１２と後身ごろ１３とが、互いに重ね合わされ、その外周部が縫い着けられるとともに、両肩部分に前記袖部１４がそれぞれ縫い着けられている。
【００１７】
上記左前身ごろ１１は、胸元から内股部の中央にかけてその端縁に、所定数の胴部スナップボタン１５が取り付けられ、内股部の中央から下端にかけてその端縁に３個の内股部スナップボタン１６が取り付けられている。
【００１８】
また、上記右前身ごろ１２は、胸元から内股部の中央にかけての端縁に、上記左前身ごろ１１の胴部スナップボタン１５の取り付け位置に対応して、それぞれ胴部スナップボタン１５が取り付けられ、内股部の中央から下端にかけてその端縁に３個の内股部スナップボタン１６（２０）が取り付けられる。
【００１９】
上記胴部スナップボタン１５を嵌め合わせることで、上記左右前身ごろ１１、１２の胸元から内股部の中央にかけて開閉可能に留めることができる。
【００２０】
上記後身ごろ１３は、体の背面を覆うものであり、その内股部の端縁に、上記左右前身ごろ１１、１２の内股部スナップボタン１６の取り付け位置および数に対応して、内股部スナップボタン１６が取り付けられる。上記左右前身ごろ１１、１２と、後身ごろ１３との内股部スナップボタン１６をそれぞれ嵌め合わせることで乳幼児の両脚を通す脚部が形成される（図２参照）。
【００２１】
上記内股部スナップボタン１６を嵌め合わせることで、上記左右前身ごろ１１、１２と上記後身ごろ１３との内股部を開閉可能に留めることができる。
【００２２】
上記各内股部スナップボタン１６は、図３に示すように、貫通孔１７を有する雌スナップ部材１６ａおよび雄スナップ部材１６ｂと、固定手段としての突起１８を有するリベット部材１９とから構成される。
【００２３】
上記リベット部材１９は、その突起１８を上記左右前身ごろ１１、１２および後身ごろ１３の端縁の片側から貫通させるとともに、雌スナップ部材１６ａまたは雄スナップ部材１６ｂの貫通孔１７に挿入される。挿入された突起１８の先端部を変形させることで、雌スナップ部材１６ａまたは雄スナップ部材１６ｂに、これらのそれぞれに対応するリベット部材１９が上記左右前身ごろ１１、１２および後身ごろ１３を挟んだ状態で嵌め合わされる。
【００２４】
また、上記各胴部スナップボタン１５も、上述した各内股部スナップボタン１６と同様の構成であり、雌スナップ部材１５ａまたは雄スナップ部材１５ｂに、これらのそれぞれに対応するリベット部材１９が上記左右前身ごろ１１、１２を挟んだ状態で嵌め合わされる。
【００２５】
上記雌スナップ部材１５ａ、１６ａおよび雄スナップ部材１５ｂ、１６ｂは、これらのそれぞれに対応するリベット部材１９が嵌め合わされることで、左右前身ごろ１１、１２および後身ごろ１３に固定され、ベビー用つなぎ１０の左右前身ごろ１１、１２の前面にリベット部材１９が露出する。この各リベット部材１９は、後述のように１色（たとえば、白色）に形成されるので、ベビー用つなぎ１０のデザインを損なわない。
【００２６】
上記左前身ごろ１１の各胴部スナップボタン１５および各内股部スナップボタン１６は、図４に示すように、表面にリベット部材１９が裏面に雌スナップ部材１５ａ（１６ａ）がそれぞれ対になるように取り付けられる。
【００２７】
また、上記右前身ごろ１２の各胴部スナップボタン１５は、表面に雄スナップ部材１５ｂが裏面にリベット部材１９がそれぞれ対に取り付けられ、各内股部スナップボタン１６は、表面にリベット部材１９が裏面に雌スナップ部材１６ａがそれぞれ対になるように取り付けられる。
【００２８】
さらに、上記後身ごろ１３の各内股部スナップボタン１６は、前面に雄スナップ部材１６ｂが背面にリベット部材１９がそれぞれ対になるように取り付けられる。
【００２９】
このように、各胴部スナップボタン１５の雌雄スナップ部材１５ａ、１５ｂを互いに嵌め合わせることにより、図２に示すように、左右前身ごろ１１、１２の胸元から内股部の中央にかけて開閉可能に留めることができる。また、上記各内股部スナップボタン１６の雌雄スナップ部材１６ａ、１６ｂを互いに嵌め合わせることにより、左右前身ごろ１１、１２と後身ごろ１３との内股部を開閉可能に留めることができる。
【００３０】
上記右前身ごろ１２側の内股部スナップボタン１６のうち、図４に示すように、上記左右前身ごろ１１の胴部スナップボタン１５に最も近い位置の、右前身ごろ１２側の内股部スナップボタン２０は、その右前身ごろ１２側の雌スナップ部材２０ａと、上記後身ごろ１３側の雄スナップ部材２０ｂとが、それぞれ同一色（たとえは、赤色）に形成され、かつ、他の雌雄スナップ部材１５ａ（１６ａ）、１５ｂ（１６ｂ）および各リベット部材１９の色（たとえば、白色）と異なる色に形成される。
【００３１】
上述のように、上記右前身ごろ１２側の内股部スナップボタン２０は、その右前身ごろ１２側の雌スナップ部材２０ａと、上記後身ごろ１３側の雄スナップ部材２０ｂとが同一色に形成されている。このため、図４に示すように、上記胴部スナップボタン１５を胸元から内股部かけて順次嵌め合わせ、内股部スナップボタン１６を嵌め合わせる際に、前記右前身ごろ１２側の雌スナップ部材２０ａと、前記後身ごろ１３側の雄スナップ部材２０ｂとを容易に嵌め合わせることができる。
【００３２】
上記雌スナップ部材２０ａと、雄スナップ部材２０ｂとが互いに嵌め合わされ、他の内股部スナップボタン１６の雌雄スナップボタン１６ａ、１６ｂ相互を下端に向かって順次嵌め合わせれば、図６に示す従来のベビー用つなぎ３０のような内股部スナップボタン１６のかけ違いを防ぐことができ、内股部における左右前身ごろ１１、１２と後身ごろ１３との位置ずれを防止することができる。
【図面の簡単な説明】
【００３３】
【図１】一実施例のベビー用つなぎを示す正面図
【図２】同上のベビー用つなぎの下半身部分を示す正面図
【図３】同上のスナップボタンを示す断面図
【図４】同上のベビー用つなぎの下半身部分の開いた状態を示す斜視図
【図５】従来のベビー用つなぎを示す正面図
【図６】同上のベビー用つなぎの下半身部分でのスナップボタンのかけ違えた状態を示す正面図
【符号の説明】
【００３４】
１０  ベビー用つなぎ
１１  左前身ごろ
１２  右前身ごろ
１３  後身ごろ
１４  袖部
１５  胴部スナップボタン
１５ａ  雌スナップ部材
１５ｂ  雄スナップ部材
１６  内股部スナップボタン
１６ａ  雌スナップ部材
１６ｂ  雄スナップ部材
１７  貫通孔
１８  突起
１９  リベット部材
２０  内股部スナップボタン
２０ａ  雌スナップ部材
２０ｂ  雄スナップ部材
３０  ベビー用つなぎ
３１  左前身ごろ
３２  右前身ごろ
３３  後身ごろ
３４  袖部
３５  胴部スナップボタン
３６  内股部スナップボタン
【図１】
0003123818.tif 000003
【図２】
0003123818.tif 000004
【図３】
0003123818.tif 000005
【図４】
0003123818.tif 000006
【図５】
0003123818.tif 000007
【図６】
0003123818.tif 000008